(57)【要約】【課題】取付部に対して装着し易いとともに装着された状態では外れ難く、装置の小型化及び薄型化を可能とする電線保持部材、及びこれを用いた照明装置を提供することを目的とする。【解決手段】第１電線保持部材１６０は、係止突起１１１ｅが形成された取付部１１０の装置取付面部１１１ｂに取り付けられた状態で係止突起１１１ｅによって係止されている。第１電線保持部材１６０は、装置取付面部１１１ｂと接する接面部１６１ａと係止突起１１１ｅを含む方向に沿って接面部１６１ａに形成された溝部１６８とを有する台座部を備えた。【選択図】図７
2017228352.tif 000002
【特許請求の範囲】
【請求項１】
突起部が形成された装置取付面部に取り付けられた状態で前記突起部によって係止されており、前記装置取付面部と接する接面部と前記突起部を含む方向に沿って前記接面部に形成された溝部とを有する台座部と、
前記装置取付面に配置された電線を保持している電線保持部と、
を備えた電線保持部材。
【請求項２】
前記電線保持部は、
前記装置取付面部に取り付けられている電源装置に接続された電線を保持している請求項１に記載の電線保持部材。
【請求項３】
前記電線保持部は、
前記装置取付面部の反対側である基板取付面部に配置されている基板に接続された電線を保持している請求項１又は２に記載の電線保持部材。
【請求項４】
発光素子に電力を供給する電源装置が設置されているとともに突起部が形成された装置取付面部に取り付けられ、前記電源装置に接続された電線を保持する電線保持部材であって、
前記装置取付面部と接する接面部を有する台座部と、
前記突起部を含む方向に沿って前記接面部に形成された溝部と
を備えた電線保持部材。
【請求項５】
前記台座部は、
前記装置取付面部に取り付けられた状態で前記突起部によって係止されており、
前記溝部は、
前記接面部の、前記電線保持部材が取り付けられる過程で前記突起部と対向する位置に形成されており、
前記台座部が係止される位置まで前記突起部が導かれるガイドである請求項４に記載の電線保持部材。
【請求項６】
前記溝部は、
一方の端部の深さ寸法より他方の端部の深さ寸法が小さくなっており、前記一方の端部に前記接面部の縁部に形成された開口部であって前記突起部を内部に挿入する開口部が形成され、
前記開口部の幅寸法及び深さ寸法は、前記突起部の幅寸法及び高さ寸法より大きく、
前記他方の端部における深さ寸法は、前記突起部の高さ寸法より小さい請求項５に記載の電線保持部材。
【請求項７】
前記溝部は、
前記開口部から前記開口部と同一形状で挿入方向に向かって設けられた導入部と、前記導入部から挿入方向に向かって徐々に深さ寸法が小さくなっている縮径部とを有する請求項６に記載の電線保持部材。
【請求項８】
前記溝部は、
前記開口部から前記他方の端部まで徐々に深さ寸法が小さくなっている縮径部を有する請求項６に記載の電線保持部材。
【請求項９】
前記溝部は、
前記他方の端部に、前記開口部が形成された前記接面部の縁部に対向する縁部に形成された対向開口部であって前記開口部の深さ寸法より小さい深さ寸法の対向開口部が形成された請求項６から８のいずれか１項に記載の電線保持部材。
【請求項１０】
前記溝部は、長尺状であり、
前記溝部の長手方向を切った断面形状が半円形状である請求項５から９のいずれか１項に記載の電線保持部材。
【請求項１１】
前記溝部は、長尺状であり、
前記溝部の長手方向を切った断面形状が矩形形状である請求項５から９のいずれか１項に記載の電線保持部材。
【請求項１２】
前記溝部は、長尺状であり、
前記溝部の長手方向を切った断面形状が三角形状である請求項５から９のいずれか１項に記載の電線保持部材。
【請求項１３】
前記台座部は、
前記電源装置に接続された電線を保持する電線保持部を備え、
前記溝部は、
前記電線保持部に対応する位置に形成された請求項４から８のいずれか１項に記載の電線保持部材。
【請求項１４】
請求項１から１３のいずれか１項に記載の電線保持部材と、
前記装置取付面部と
を備え、
前記装置取付面部は、部材取付孔が形成され、
前記電線保持部材は、前記接面部から突き出し、前記部材取付孔に挿入された取付片を有し、
前記取付片は、前記部材取付孔にスライド装着されており、
前記突起部は、前記溝部の基端部の側から終端部の側に向かって導かれ、前記台座部における前記基端部の側と反対側を係止している照明装置。
【発明の詳細な説明】
【技術分野】
【０００１】
本発明は、電線保持部材及び照明装置に関するものである。特に、照明具において電源装置取付面に配設された電線を適切な位置で保持する電線保持部材及び照明装置に関する。
【背景技術】
【０００２】
特許文献１には、固定用孔部の開口縁部に装着方向後方から対向する押え部と、ワイヤーハーネスに巻き掛け可能で、押え部に対して自由端とされた少なくとも一方の端部に固定用孔部の開口縁部に装着方向前方から係止可能な係止部を有しているベルト部とを備えたハーネスクランプが開示されている。このハーネスクランプは、押え部がベルト部の一方の端部を挿通可能なベルト挿通孔部を有し、ベルト部がベルト挿通孔部に挿通された状態で、係止部が固定用孔部の開口縁部に係止していない非係止状態から、係止した係止状態に縮径変形可能である。
【先行技術文献】
【特許文献】
【０００３】
【特許文献１】特許５８７０７０２号公報
【発明の概要】
【発明が解決しようとする課題】
【０００４】
しかしながら、特許文献１に記載されたハーネスクランプは、係止部を非係止状態から係止状態とするために、ワイヤーハーネスが配設される方向と直交する方向にストローク長を必要であり、装置を小型化及び薄型化する上での妨げとなる。
【０００５】
本発明は、取付部に対して装着し易いとともに装着された状態では外れ難く、装置の小型化及び薄型化を可能とする電線保持部材、及びこれを用いた照明装置を提供することを目的とする。
【課題を解決するための手段】
【０００６】
本発明の一態様に係る電線保持部材は、突起部が形成された装置取付面部に取り付けられた状態で前記突起部によって係止されており、前記装置取付面部と接する接面部と前記突起部を含む方向に沿って前記接面部に形成された溝部とを有する台座部と、前記装置取付面部に配置された電線を保持している電線保持部とを備えた。
【発明の効果】
【０００７】
本発明に係る電線保持部材によれば、装置取付面部と接する接面部に、装置取付面部に形成された突起部をガイドする溝部とを備えたので、装置取付面部に対して装着し易いとともに装着された状態では外れ難く、装置の小型化及び薄型化を可能とする電線保持部材提供することができる。
【図面の簡単な説明】
【０００８】
【図１】実施の形態１の照明装置１０を示す斜視図。
【図２】実施の形態１の照明具１００を示す斜視図。
【図３】実施の形態１の照明具１００を示す断面図。
【図４】実施の形態１の照明具１００の主要部を示す分解斜視図。
【図５】実施の形態１の第１電線保持部材１６０を示す斜視図。
【図６】実施の形態１の第１電線保持部材１６０の構造を示す６面図。
【図７】実施の形態１の第１電線保持部材１６０の取付けを説明する図。
【図８】実施の形態１の第１電線保持部材１６０の取付けを説明する別の図。
【図９】実施の形態１の第１電線保持部材１６０の特徴を説明する図。
【図１０】実施の形態１の第３電線保持部材１８０を示す図。
【図１１】実施の形態１の第２電線保持部材１７０を示す図。
【図１２】実施の形態２の第１電線保持部材１６０Ａを示す図。
【図１３】実施の形態３の第１電線保持部材１６０Ｂを示す図。
【図１４】実施の形態４の第１電線保持部材１６０Ｃを示す図。
【図１５】実施の形態５の第１電線保持部材１６０Ｄを示す図。
【図１６】実施の形態６の第１電線保持部材１６０Ｅを示す図。
【発明を実施するための形態】
【０００９】
以下、本発明の実施の形態について、図を参照しながら説明する。なお、以下に説明する実施の形態によって本発明が限定されるものではない。また、以下の図面では各構成部の大きさの関係が実際のものとは異なる場合がある。また、実施の形態の説明において、「上」、「下」、「左」、「右」、「前」、「後」、「表」、「裏」といった方向や位置が示されている場合、それらの表記は、説明の便宜上、そのように記載しているだけであって、装置、器具、部品などの配置や向きなどを限定するものではない。なお、以下の説明では、天井面などのように照明器具を取り付ける器具取付部の方向を取付方向あるいは上方とし、光源の照射方向を下方として説明する。
【００１０】
実施の形態１．
＜＜構成の概要＞＞
図１から図４を用いて、本実施の形態に係る照明装置１０の構成について説明する。
図１は、実施の形態１の照明装置１０を示し、図１（ａ）は下方から見た斜視図であり、図１（ｂ）は図１（ａ）の分解斜視図である。
図２は、実施の形態１の照明具１００を上方から見た斜視図である。
図３は、実施の形態１の照明具１００の断面図であり、図２におけるＡ−Ａ断面図である。
図４は、実施の形態１の照明具１００を下方から見た主要部の分解斜視図である。
【００１１】
本実施の形態に係る照明装置１０は、天井や壁などの器具取付部に取り付けられる照明装置であり、長手方向に延びた長尺状の照明装置である。この照明装置１０は、長手方向に複数連結して用いられる場合がある。
照明装置１０は、照明具１００と、この照明具１００が着脱自在に取り付けられる照明器具２００とを備える。照明具１００は、光源ユニットとも称される。
【００１２】
＜＜＜照明器具２００＞＞＞
照明器具２００は、器具本体２０１と、器具本体２０１の両端部に取り付けられる器具端部２０２とを備える。
器具本体２０１は、コの字状に折り曲げられて形成され、長手方向に延びた収容部２０５を備える。器具本体２０１は、板金が折り曲げられて形成される。
【００１３】
収容部２０５の底面部には、端子台２０６と、２つの取付ばね２０４が設置される。端子台２０６は、電源端子台である。あるいは、端子台２０６は信号端子台でも構わない。端子台２０６は電源装置１４０と接続するためのハーネス２０７及びコネクタ２０８を備える。取付ばね２０４は、上述した照明具１００が備えるばね取付具１５０に対応する位置に配置される。また、照明具１００が照明器具２００に取り付けられた状態では、照明具１００が備える電源装置１４０の少なくとも一部が収容部２０５に挿入される。
なお、取付ばね２０４は、照明器具２００の形状に応じて設置される数が変更することができる。照明器具２００の長手方向の長さが短い場合は、長手方向の一端部側のみに取付ばね２０４を設置し他端部側はフックなどで固定する構成としてもよい。また、照明器具２００の長手方向の長さが長い場合は、長手方向の両端部と中央部に取付ばね２０４を設置してもよい。中央部に取付ばね２０４を設置する場合は、取付ばね２０４及び取付ばね２０４に対応する照明具１００が備えるばね取付具１５０が、照明具１００に取り付けられる電源装置１４０と干渉しない位置を選択する。
【００１４】
端子台２０６には外部電源に接続される電源電線が接続される。また、図示はないが、端子台２０６には照明器具２００を長手方向に連結した場合に隣接する照明器具に電力や信号を送る送り電線が接続される。よって、収容部２０５内には、電源電線や送り電線などが配設される。
【００１５】
収容部２０５には、電源電線を通過させる電源線挿入孔、天井などから吊下げられている吊ボルト４００（図３参照）を挿入させるボルト挿入孔（図示省略）などの各種の貫通孔が形成されている。ここでは、底面部に４つのボルト挿入孔が形成されている。
【００１６】
＜＜＜照明具１００＞＞＞
図２から図４に示すように、照明具１００は、取付部１１０、発光ユニット１２０、カバー１３１、電源装置１４０、２つのばね取付具１５０を有する。
取付部１１０は、長手方向に延びた板材をコの字形に折り曲げた形状であり、発光素子である発光ダイオード１２１（以下、ＬＥＤ１２１）が実装された基板１２２が一面側に取り付けられる主板部１１１を有する。そして、取付部１１０は、照明具１００が照明器具２００に取り付けられた状態で、短手方向の端部から照明器具２００の収容部の側に向かって立ち上がる側板部１１２を備える。
【００１７】
取付部１１０は、プレート、フレームとも称される。
図４に示すように、主板部１１１の一面側の基板取付面部１１１ａには、ＬＥＤ１２１が実装された基板１２２を備える発光ユニット１２０が取り付けられる。また、主板部１１１において一面側の基板取付面部１１１ａと対向する他面側の装置取付面部１１１ｂには、発光ユニット１２０の発光素子であるＬＥＤ１２１に電力を供給する電源装置１４０と、２つのばね取付具１５０とが取り付けられる。また、主板部１１１には、後述する第１電線保持部材１６０を取り付ける部材取付孔１１１ｃが形成される。
【００１８】
なお、照明具１００の光源として用いられる発光素子は、ＬＥＤに限らず、有機ＥＬ、固体レーザ、半導体レーザなどが用いられてもよい。発光ユニット１２０は、光源モジュールとも称される。
【００１９】
本実施の形態における電源装置１４０は、主板部１１１の他面側における長手方向中央を基準としてより一方側に寄せて取り付けられている。なお、電源装置１４０は、長手方向中央に取り付けられていても構わない。
２つのばね取付具１５０は、主板部１１１の他面側における長手方向の両端側にそれぞれ取り付けられている。ばね取付具１５０は、後述する照明器具２００が備える取付ばね２０４と係合し、照明具１００を照明器具２００に固定する。
さらに、ばね取付具１５０は、照明具１００の形状に応じて設置される数を変更することができる。照明具１００の長手方向の長さが短い場合は、長手方向の一端部のみにばね取付具１５０を設置し他端部はこれとは異なるフックなどを用いて固定する構成としてもよい。また、照明具１００の長手方向の長さが長い場合は、長手方向の両端部と中央部にばね取付具１５０を設置してもよい。中央部にばね取付具１５０を設置する場合は、ばね取付具１５０及びばね取付具１５０に対応し照明器具２００に配置された取付ばね２０４が、電源装置１４０と干渉しない領域を選択する。
【００２０】
カバー１３１は、発光ユニット１２０を覆う。また、カバー１３１は、長手方向に延びて発光ユニット１２０と対向するカバー主部１３２ａと、長手方向に延びたカバー側部１３２と、取付部１１０の短手方向の端部に形成された側板部１１２に取り付けられる係合部１３３とを備える。カバー側部１３２は、カバー接続部１３２ｃとカバー側面部１３２ｂとを有する。また、係合部１３３は、側板部１１２に引っ掛かるカバー係合部１３３ｃと、側板部１１２に沿う立板部１３３ｂと、主板部１１１を押さえるカバー支持部１３３ａとを有する。
カバー１３１は、発光ユニット１２０に実装されたＬＥＤ１２１を覆うように取付部１１０に取り付けられる。側板部１１２にはカバー１３１の係合部１３３（カバー支持部１３３ａ，立板部１３３ｂ，カバー係合部１３３ｃ）が取り付けられ、カバー１３１が取付部１１０に固定される。また、カバー１３１の端面部には、端面の開口を塞ぐ端部カバー１３６が取り付けられる。図１に示すように、照明具１００が照明器具２００に取り付けられると、端部カバー１３６は収容部２０５の器具蓋部２０３と当接する。
【００２１】
電源装置１４０には、電源線１４１が接続される。電源線１４１は、先端部にコネクタ１４１ａが接続されたハーネスである。電源線１４１が後述する端子台２０６に接続されたハーネス２０７と接続されることで、電源装置１４０は端子台２０６を経由して商用交流電源などの電源から電力を受け取ることができる。図２に示すように、電源線１４１は、電線ガイドの機能を有する第３電線保持部材１８０によりガイドされる。
また、電源装置１４０には、点灯電力をＬＥＤ１２１に供給するための給電線１４２が接続される。給電線１４２は、電源装置１４０から取付部１１０の長手方向端部に配置された第２電線保持部材１７０を経由して発光ユニット１２０に接続される。
以下において、電源線１４１及び給電線１４２などの電線を電線５００として説明する。
なお、第２電線保持部材１７０、第３電線保持部材１８０については後述する。
【００２２】
＜＜＜第１電線保持部材１６０、第２電線保持部材１７０、第３電線保持部材１８０の構成の概要＞＞＞
図５は、本実施の形態の第１電線保持部材１６０を示す図であり、図５（ａ）が上方から見た斜視図。図５（ｂ）が下方から見た斜視図である。
図６は、本実施の形態の第１電線保持部材１６０の構造を示す図であり、図６（ａ）が側面図、図６（ｂ）が平面図、図６（ｃ）が正面図、図６（ｄ）が底面図、図６（ｅ）が図６（ｃ）に対応するＢ−Ｂ断面図、図６（ｆ）が図６（ｄ）に対応するＢ−Ｂ断面図である。
図７は、本実施の形態の第１電線保持部材１６０の取付け状態（ａ）から（ｃ）を説明する図である。
図８は、本実施の形態の第１電線保持部材１６０の取付け状態（ａ）から（ｃ）を説明する別の図である。
図９は、本実施の形態の係止突起１１１ｅが第１電線保持部材１６０を乗り越える状態（ａ）及び（ｂ）を示す図である。
図１０は、本実施の形態の第３電線保持部材１８０を示す図である。
図１１は、本実施の形態の第２電線保持部材１７０を示す図である。
【００２３】
また、図３の太点線部分は吊ボルト４００の位置を示している。図３は、本実施の形態に係る照明装置１０の断面図において、吊ボルト４００と第１電線保持部材１６０とを説明するために必要な構成を簡易的に示した模式図である。
図３、及び図５から図１１を用いて、本実施の形態に係る照明装置１０において、電源装置１４０に接続される電線５００を適切な位置で固定する第１電線保持部材１６０、第３電線保持部材１８０、第２電線保持部材１７０について説明する。
【００２４】
取付部１１０は、上述したように、一面側の基板取付面部１１１ａに発光素子であるＬＥＤ１２１が実装された基板１２２が取り付けられるとともに、他面側の装置取付面部１１１ｂにＬＥＤ１２１に電力を供給する電源装置１４０が取り付けられる。
【００２５】
＜＜＜第１電線保持部材１６０の構成の概要＞＞＞
第１電線保持部材１６０は、発光素子に電力を供給する電源装置１４０が設置されているとともに係止突起１１１ｅ（突起部）が形成された装置取付面部１１１ｂに取り付けられる。第１電線保持部材１６０は、電源装置１４０に接続された電線５００を保持する。第１電線保持部材１６０は、装置取付面部１１１ｂと接する接面部１６１ａと、接面部１６１ａに形成され、突起部である係止突起１１１ｅをガイドする溝部１６８とを備える。
第１電線保持部材１６０は、長方形の板状である台座部１６１を備える。台座部１６１は、接面部１６１ａを有する。図７の（ｃ）に示すように、台座部１６１は、取付部１１０の装置取付面部１１１ｂに突起部である係止突起１１１ｅにより止められている。溝部１６８は、台座部１６１を止める位置まで係止突起１１１ｅをガイドする。
第１電線保持部材は、電線保持部材の例である。
【００２６】
第１電線保持部材１６０は、台座部１６１の長辺方向が主板部１１１の短手方向に沿うように装置取付面部１１１ｂに設置される。第１電線保持部材１６０は、台座部１６１の長辺方向の両端部に、電線５００を保持する第１電線保持部１６２（外側電線保持部）を備える。第１電線保持部１６２は、端部クリップ部とも称される。
第１電線保持部材１６０は、電線５００などの配線材をクリップする配線クリップとも称される。
【００２７】
図３に示すように、第１電線保持部１６２は、第１電線保持部材１６０が装置取付面部１１１ｂに設置された状態で、装置取付面部１１１ｂの短手方向の中央部Ｐ０と装置取付面部１１１ｂの短手方向の端部Ｐ１との中心部Ｐ２より、装置取付面部１１１ｂの短手方向の端部Ｐ１の側に配置される。図３に示すように、第１電線保持部１６２は中心部Ｐ２近傍であり、かつ端部Ｐ１寄りに第１電線保持部１６２の少なくとも一部が位置していればよい。あるいは、第１電線保持部１６２全体が中心部Ｐ２と端部Ｐ１との間に位置していてもよい。また、第１電線保持部１６２は、端部Ｐ１近傍に位置していてもよい。
すなわち、第１電線保持部材１６０の両側の第１電線保持部１６２は、上記のように配置されることにより、保持する電線５００を装置取付面部１１１ｂの短手方向の中央部Ｐ０近傍から離すことができ、電線５００が吊ボルト４００と干渉することを防ぐことができる。
【００２８】
上述したように、照明具１００は、長手方向に延びた底面部を備える収容部２０５を有する照明器具２００に、装置取付面部１１１ｂを底面部に対向させて取り付けられる。また、照明器具２００の底面部には、施工用の吊ボルト４００を収容部２０５に挿入させるボルト挿入孔（図示省略）が形成されている。
図５に示すように、第１電線保持部材１６０は、長辺方向の中央部の側に台座部１６１を基端部として立ち上がる支持部１６５と、支持部１６５の先端部に形成され円形に張り出す張出部１６４とを備える。支持部１６５は、台座部１６１の長辺方向に沿う第１支持部１６５ａと、第１支持部１６５ａと交差する第２支持部１６５ｂとを備える。
支持部１６５の先端部または張出部１６４が、ボルト挿入孔を介して収容部２０５に挿入される吊ボルト４００の先端部４０１（図３参照）と当接し、取付部１１０の内部への吊ボルト４００の侵入を規制する。つまり、支持部１６５の先端部または張出部１６４が、ボルト止め部として機能する。
【００２９】
図３に示すように、天井などの器具取付部に形成されたボルト孔（図示省略）から突出する施工用の吊ボルト４００は、照明器具２００の収容部２０５の底面部に形成されたボルト挿入孔（図示省略）を介して収容部２０５の内部に挿入される。例えば、照明器具２００の長手方向の中央部を挟んで両側にそれぞれ２つずつ、合計４つのボルト挿入孔が形成されている。なお、ボルト挿入孔の数や位置は、照明器具の形、大きさ、長さ、重さなどの条件を勘案して適宜選択される。
【００３０】
第１電線保持部材１６０は、図２に示すように、吊ボルト４００が挿入される位置、すなわち照明具１００が照明器具２００に取り付けられた状態で、ボルト挿入孔（図示省略）に対応する位置に配置される。
好ましくは、第１電線保持部材１６０は、少なくとも支持部１６５の先端部または張出部１６４のどちらかが、ボルト挿入孔と重なる位置に配置される。すなわち、第１電線保持部材１６０は、照明器具２００に対する照明具１００の取付方向を法線方向とする断面において、支持部１６５の先端部または張出部１６４が、ボルト挿入孔と重なる位置に形成される。
【００３１】
図３に示すように、張出部１６４は、台座部１６１に対向する板状である。張出部１６４は、板状の上面部で吊ボルト４００の先端部４０１を止める。
第１電線保持部材１６０は、張出部１６４の板状の下面側と内壁部１６７との間に、電源装置１４０に接続される電線５００を保持する第２電線保持部１６９（内側電線保持部）を備える。
図５に示すように、内壁部１６７は、内壁立設部１６７ａと、内壁屈曲部１６７ｂと、内壁先端部１６７ｃとを有する。
図５に示すように、第１電線保持部材１６０は、張出部１６４の両側の第２電線保持部１６９にも電線５００を保持することができる。第２電線保持部１６９に保持された電線５００は、吊ボルト４００の先端部４０１を止める張出部１６４の下に保持されるので、吊ボルト４００が張出部１６４に遮られて電線５００に干渉することを防止できる。
【００３２】
図７に示すように、主板部１１１には、部材取付孔１１１ｃが形成される。第１電線保持部材１６０は、接面部１６１ａから突き出し、部材取付孔１１１ｃに挿入される取付片１６３を有する。取付片１６３は、部材取付孔１１１ｃにスライド装着されており、係止突起１１１ｅは、溝部１６８にガイドされ、台座部１６１のスライド向み（矢印Ｄの向き）の反対側に向かって係止している。
ここで、図３に示すように、取付片１６３は、カバー１３１のカバー支持部１３３ａと取付部１１０の主板部１１１との間の狭い空間内で、主板部１１１に沿う方向で部材取付孔１１１ｃにスライド装着されている。つまり、第１電線保持部材１６０は、主板部１１１に装着するために主板部１１１と直交する方向にストローク長を必要としないので、照明具１００及び照明装置１０を小型化あるいは薄型化することができる。
【００３３】
第１電線保持部材１６０は、台座部１６１における装置取付面部１１１ｂの側の面である接面部１６１ａに突出する取付片１６３を備える。取付片１６３は、接続部１６３ａと、係止片部１６３ｂとを有する。装置取付面部１１１ｂには、取付片１６３と係合する部材取付孔１１１ｃが形成される。取付片１６３が部材取付孔１１１ｃに挿入され、スライド装着されることにより、第１電線保持部材１６０が装置取付面部１１１ｂに固定される。
具体的には、例えば、取付片１６３を装置取付面部１１１ｂと交わる向きに押し込み取付片１６３に設けられた係止爪を装置取付面部１１１ｂに引掛ける方法、取付片１６３を装置取付面部１１１ｂに沿って直線方向または回転方向にスライドさせて装置取付面部１１１ｂに設けられた係止突起（図示省略）で係止する方法などを、用いることができる。
【００３４】
図７の（ａ）から（ｃ）では、取付片１６３が部材取付孔１１１ｃの幅広部１１１ｃ１にＣ方向に挿入された後に、台座部１６１がスライド方向であるＤ方向にスライドされることにより、接続部１６３ａが部材取付孔１１１ｃの幅狭部１１１ｃ２に嵌り、第１電線保持部材１６０が装置取付面部１１１ｂに固定される。また、スライド時に、溝部１６８は台座部１６１を止める位置Ｐ１に係止突起１１１ｅが配置されるように、係止突起１１１ｅを導くガイドである。
【００３５】
第１電線保持部１６２の形状は、電線５００をクリップすることができれば本実施の形態に係る第１電線保持部１６２の形状と異なっていてもよい。また、装置取付面部１１１ｂに嵌め込まれる取付片１６３の形状は、装置取付面部１１１ｂに嵌め込まれて第１電線保持部材１６０を取り付けることができれば実施の形態に係る取付片１６３の形状と異なっていてもよい。
例えば、第１電線保持部材１６０の第１電線保持部１６２の形状は、内部に電線５００を通過させる部分の形状は略三角形状であり、上部に電線５００を挿入するためのスリットが形成されていてもよい。また、電線保持部材の取付片１６３は、第１電線保持部１６２の外側面から下方に向かって形成され、取付片１６３の下端部には、装置取付面部１１１ｂの部材取付孔１１１ｃを通過した後、取付片１６３が部材取付孔１１１ｃから抜けないように部材取付孔１１１ｃの縁部に引っ掛ける引掛け部を備えていてもよい。
また、第１電線保持部材１６０の第１電線保持部１６２の形状は、内部に電線５００を通過させる部分の形状は略正方形状であり、上面に電線５００を挿入するためのスリットが形成されていてもよい。また、第１電線保持部材１６０の取付片１６３は、第１電線保持部１６２の下側面から下方に向かってＬ字形状、カギ形状に形成され、電線保持部材の取付片１６３は、このＬ字形状により部材取付孔１１１ｃから抜けないような構造となっていてもよい。
また、第１電線保持部材１６０の第１電線保持部１６２の形状は、内部に電線５００を通過させる部分の形状は略長方形状であり、第１電線保持部材１６０の中央側から電線５００を挿入する構成でもよい。
【００３６】
支持部１６５は、台座部１６１の両側の長辺から外側に突き出るように壁状（板状）に形成されていてもよい。このように支持部１６５を台座部１６１の両側の長辺から突き出すように形成することにより、張出部１６４が補強され、電線５００と吊ボルト４００とが干渉することを確実に防止することができる。なお、ボルト止め部として機能する支持部１６５の先端部及び張出部１６４の底面部に対向する対向面積は、好ましくは、当接する吊ボルト４００の先端部４０１の面積を基準にして決められる。さらに好ましくは、収容部２０５の内部に挿入される吊ボルト４００の挿入傾きを考慮して、ボルト挿入孔の開口面積を考慮して決められる。例えば、第１電線保持部材１６０は、照明器具２００に対する照明具１００の取付方向を法線方向とする断面において、張出部１６４の底面部に対向する対向面積がボルト挿入孔の開口面積以上であってもよい。また、第１電線保持部材１６０は、照明器具２００に対する照明具１００の取付方向を法線方向とする断面において、張出部１６４の底面部に対向する対向面積が吊ボルト４００の先端部４０１の面積以上であってもよい。また、第１電線保持部材１６０は、照明器具２００に対する照明具１００の取付方向を法線方向とする断面において、張出部１６４の底面部に対向する対向面積が吊ボルト４００の先端部４０１の面積未満であってもよい。そして、支持部１６５は、壁状の態様の他、例えば棒状、筒状などの態様であってもよい。
【００３７】
＜＜＜第３電線保持部材１８０の構成の概要＞＞＞
図２に示すように、装置取付面部１１１ｂには、電源装置１４０に接続される電線５００のうち吊ボルト４００と干渉しない位置に配設された電源線１４１が存在する。この電源線１４１は、例として電源装置１４０に接続されたハーネスであり、第１電線保持部材１６０には届かない長さである。
図２に示すように、電源装置１４０は、装置取付面部１１１ｂにおいて吊ボルト４００と干渉しない位置に配置される。
また、照明具１００は、電源装置１４０に接続される電線５００のうち吊ボルト４００と干渉しない位置に配設された電源線１４１を、装置取付面部１１１ｂの短手方向の端部で保持する第３電線保持部材１８０を備える。第３電線保持部材１８０は、ハーネスをクランプするハーネスクランプとも称される。
【００３８】
図１０に示すように、第３電線保持部材１８０は、上面が略正方形状の平たい直方体形状である。対向する一対の側面にそれぞれ取付片部１８１を備える。下面には複数の電源線１４１を蛇行クランプさせる電線保持部１８２が形成されている。電線保持部１８２は、下面に起立した複数の起立壁１８３によって形成されている。電源装置１４０に接続される電源線１４１は施工性を考慮した余長を有しており、電線保持部１８２に沿って蛇行させてクランプすることによって、電源線１４１の余長が調整される。取付片部１８１が装置取付面部１１１ｂに形成された電線クランプ取付孔（図示省略）に挿入されることにより、第３電線保持部材１８０が装置取付面部１１１ｂに固定される。図２に示すように、第３電線保持部材１８０は、吊ボルト４００と干渉しない位置であって装置取付面部１１１ｂの短手方向の端部の位置に配置され、電源線１４１をクランプする。
【００３９】
＜＜＜第２電線保持部材１７０の構成の概要＞＞＞
また、図２に示すように、装置取付面部１１１ｂには、電源装置１４０と装置取付面部１１１ｂの裏面の基板取付面部１１１ａに取り付けられた発光ユニット１２０とを接続する給電線１４２が配設される。この給電線１４２は、装置取付面部１１１ｂの長手方向の端部を介して発光ユニット１２０に接続される。
照明具１００は、電源装置１４０に接続される電線５００のうち基板取付面部１１１ａに取り付けられた基板１２２に接続される給電線１４２を、装置取付面部１１１ｂの長手方向の端部で保持する第２電線保持部材１７０を備える。
第２電線保持部材１７０は、スリット状の電線保持部である配線溝１７２ａが形成されたゴムなどの弾性体により形成される。第２電線保持部材１７０は、ハーネス保持ゴムとも称される。なお、第２電線保持部材１７０はゴムなどの弾性体以外のものであってもよい。
【００４０】
＜＜＜第１電線保持部材１６０の第１電線保持部１６２の構成及び作用効果の説明＞＞＞
本実施の形態に係る第１電線保持部材１６０は、第１電線保持部１６２に、外壁部１６６、内壁部１６７、下電線保持部１６２ａ（下クリップ部）、上電線保持部１６２ｂ（上クリップ部）を備える。
外壁部１６６は、台座部１６１の端部から立ち上がる外壁立設部１６６ａと、外壁立設部１６６ａから第１の高さｈ１の位置で台座部１６１の台座中央部１６６１の側に屈曲した外壁屈曲部１６６ｂとを備える。
内壁部１６７は、台座部１６１において外壁部１６６と台座中央部１６６１との間の位置から立ち上がる内壁立設部１６７ａと、内壁立設部１６７ａから第１の高さｈ１より高い第２の高さｈ２の位置で外壁部１６６の側の上方に屈曲した内壁屈曲部１６７ｂと、内壁屈曲部１６７ｂから第２の高さｈ２より高い第４の高さｈ４の位置で外壁部１６６の側の下方に向かって屈曲した内壁先端部１６７ｃとを備える。
【００４１】
下電線保持部１６２ａは、台座部１６１、外壁立設部１６６ａ、外壁屈曲部１６６ｂの下側面、及び内壁立設部１６７ａの下方部分とで囲まれる。
上電線保持部１６２ｂは、外壁屈曲部１６６ｂの上側面、内壁立設部１６７ａの上方部分、内壁屈曲部１６７ｂ、及び内壁先端部１６７ｃで囲まれる。
【００４２】
外壁部１６６は第１の高さｈ１まで起立し途中で支持部１６５の側に屈曲されている。外壁部１６６が屈曲した先の外壁先端部と内壁部１６７との間には、第２スリット部１６６ｄが設けられている。すなわち、この第２スリット部１６６ｄは、外壁屈曲部１６６ｂの先端部である外壁先端部と内壁部１６７との間に形成される隙間である。
【００４３】
上電線保持部１６２ｂは、外壁部１６６と内壁部１６７の上部とに囲まれている。内壁部１６７は台座部１６１の長手方向における端部側であり、外壁部１６６よりも台座中央部１１６１の側から起立している。内壁部１６７は第２の高さｈ２まで起立し、途中で台座部１６１の長手方向における端部の側に屈曲されている。第２の高さｈ２の寸法は第１の高さｈ１の寸法より大きい。具体的には、高さｈ２は高さｈ１の約２倍である。内壁部１６７が屈曲した先の内壁先端部１６７ｃと外壁部１６６との間には、第１スリット部１６６ｃが設けられている。すなわち、第１スリット部１６６ｃは、内壁屈曲部１６７ｂの先端部である内壁先端部１６７ｃと外壁屈曲部１６６ｂとの間に形成された第２スリット部１６６ｄより広い隙間である。
【００４４】
第１電線保持部１６２は、給電線１４２、または給電線１４２より線径の大きい電源線１４１を電線５００として保持する。
下電線保持部１６２ａは、台座部１６１の長辺方向における端部側から第１スリット部１６６ｃに挿入され、第２スリット部１６６ｄを経由して挿入される、比較的線径の小さい給電線１４２を保持する。
上電線保持部１６２ｂは、台座部１６１の長辺方向における端部側から第１スリット部１６６ｃに挿入され、第２スリット部１６６ｄを通過できない、比較的線径の大きい電源線１４１を保持する。
【００４５】
図６の（ｃ）に示すように、内壁部１６７は、第２の高さｈ２の寸法が張出部１６４の高さｈ３の寸法よりも大きくなるように形成される。内壁部１６７は、高さｈ３が高さｈ２の１／２から３／４となる程度に形成されることが好ましい。
【００４６】
下電線保持部１６２ａは、第２スリット部１６６ｄを通過できる比較的線径が小さい電線５００、すなわち比較的細い電線５００を保持する。給電線１４２は、比較的細い電線５００の例である。比較的線径が小さい電線５００は、第１電線保持部材１６０の端部側から、第１スリット部１６６ｃ、上電線保持部１６２ｂへ挿入され、さらに第２スリット部１６６ｄを経由して下電線保持部１６２ａへ挿入されて保持される。比較的線径が小さい電線５００は、照明具１００の組立工程で配線される。
内壁部１６７は、照明具１００の組立工程において、比較的線径が小さい電線５００が下電線保持部１６２ａへ挿入される過程で誤って中央側へ配置してしまうことを防護する。すなわち、内壁部１６７は、照明具１００の組立工程において、比較的線径が小さい電線５００の防護壁となる。
このため、第１電線保持部１６２では、比較的線径が小さい電線５００は、電源装置１４０や施工用の吊ボルト４００と干渉することがない。
また、第１電線保持部１６２では、第１電線保持部材１６０の端部側から比較的線径が小さい電線５００を挿入する。よって、電線５００は、第１電線保持部１６２への挿入過程で、電源装置１４０や施工用の吊ボルト４００と干渉することがない。
【００４７】
上電線保持部１６２ｂは、第１スリット部１６６ｃを通過でき第２スリット部１６６ｄを通過できない比較的線径が大きい電線５００、すなわち比較的太い電線５００を保持する。比較的線径が大きい電線５００は、第１電線保持部材１６０の端部側から、第１スリット部１６６ｃを経由して上電線保持部１６２ｂへ挿入されて保持される。比較的線径が大きい電線５００は、照明具１００を照明器具２００に取り付ける施工工程で配線される。比較的線径が大きい電線５００は、具体的には、照明器具２００と照明具１００とを電気的に繋ぐ電源線１４１、ハーネス２０７（電源線）、照明具１００（光源ユニット）の調光または調色などの制御を行うための信号を送受信する調光線材などである。
【００４８】
照明具１００を照明器具に取り付ける施工工程では、必ずしも必要充分な視界、すなわち良好な視界が確保できない。そこで、内壁部１６７により、比較的線径が大きい電線５００が上電線保持部１６２ｂへ挿入される際に誤って中央側へ配置してしまうことを防護する。すなわち、内壁部１６７は、照明具１００を照明器具２００に取り付ける施工工程において、比較的線径が大きい電線５００の防護壁となる。
このため、比較的線径が大きい電線５００は、電源装置１４０や施工用の吊ボルト４００と干渉することがない。
【００４９】
また、第１電線保持部１６２では、比較的線径が大きい電線５００を照明具１００の短手方向の端部寄りに配線できるため、比較的良好な視界を確保し易く、作業性に優れる。さらに、照明具１００の施工工程で配線される比較的線径が大きい電線５００は、既に照明具１００の組立工程で配線された比較的線径が小さい電線５００によって、配線作業が妨げられることがない。
また、第１電線保持部１６２では、第１電線保持部材１６０の端部側から比較的線径が大きい電線５００を挿入する。よって、比較的線径が大きい電線５００は、第１電線保持部１６２への挿入過程で、電源装置１４０や施工用の吊ボルト４００と干渉することがない。
【００５０】
第１電線保持部材１６０は、弾性変形する性質を有する。詳しくは、第１電線保持部材１６０は、比較的線径が小さい電線５００または比較的線径が大きい電線５００を挿入可能な柔らかさを有する。そして、第１電線保持部材１６０は、比較的線径が小さい電線５００または比較的線径が大きい電線５００を保持可能な硬さを有する。
なお、本実施の形態では、第１電線保持部材１６０は樹脂材料を用いて形成されているが、樹脂材料に限定されず、例えば、バネ性を有した金属材料を絶縁材料で覆う構成としてもよい。
【００５１】
＜＜＜第１電線保持部材１６０の張出部１６４及び支持部１６５の構成及び作用効果の説明＞＞＞
まず、張出部１６４及び支持部１６５の構成の概要について説明する。
第１電線保持部材１６０は、台座部１６１の長辺方向における中央部の側に台座部１６１を基端部として立ち上がる支持部１６５と、支持部１６５の先端部から台座部１６１に対向して広がるように形成された張出部１６４とを備える。
照明装置１０は、装置取付面部１１１ｂに対向するボルト挿入孔（図示省略）を備える。
張出部１６４は、ボルト挿入孔に対向する位置に配置される。張出部１６４は、全周方向に広がる円形状である。
支持部１６５は、台座部１６１の長辺方向に沿う第１支持部１６５ａと、第１支持部１６５ａと交差する第２支持部１６５ｂとを備える。
【００５２】
次に、張出部１６４及び支持部１６５の構成及び作用効果について詳しく説明する。
第１電線保持部材１６０は、天井などの取付面部に形成されたボルト孔から突出し、ボルト挿入孔（図示省略）を介して収容部２０５の内部に挿入する吊ボルト４００の想定経路の領域全体に張り出した張出部１６４を有する。
本実施の形態では、張出部１６４は、台座部１６１から起立した支持部１６５の先端に台座部１６１と対向して略円形の板状に形成されている。張出部１６４の形状は、略円形の他、楕円形、多角形、星形などの板状でもよい。また、板状の張出部１６４の周縁部に周壁を設けることによって、張出部１６４から吊ボルト４００が脱落して電線５００と干渉してしまうリスクをさらに低減させることができる。さらに、周壁を設けた張出部１６４に替えて、環状、椀状、擂鉢状の張出部１６４（図示省略）としてもよい。そして、張出部１６４は、支持部１６５と同じ断面形状で台座部１６１から起立させて、吊ボルト４００を強く支える形状としてもよい。
【００５３】
張出部１６４の大きさと形は、ボルト挿入孔（図示省略）の大きさや形状、ボルト挿入孔（図示省略）と張出部１６４との距離などを考慮して決定され、ボルト挿入孔を含む大きさと形状であることが望ましい。張出部１６４の大きさと形は、ボルト挿入孔を含む大きさと形状にすることで、吊ボルト４００が傾いた状態で収容部２０５の内部に挿入された場合であっても、張出部１６４が、吊ボルト４００と電線５００との干渉を確実に防ぐことができる。吊ボルト４００の傾きは、例えば、最大２５°程度を想定することができる。
【００５４】
本実施の形態に係る支持部１６５は、台座部１６１から台座部１６１の長手方向に沿って板状に立ち上がる第１支持部１６５ａと、台座部１６１から台座部１６１の短手方向に沿って板状に立ち上がる第２支持部１６５ｂとを備える。第１支持部１６５ａと第２支持部１６５ｂとは、略十文字に交差している。
【００５５】
本実施の形態に係る支持部１６５は、略十文字に交差している第１支持部１６５ａと第２支持部１６５ｂとを備えているので、全周方向に広がった円形状の張出部１６４であっても確実に安定して支持することができる。このように、張出部１６４は長手方向及び短手方向から支持されているので、吊ボルト４００が傾いた状態で収容部２０５の内部に挿入された場合であっても、張出部１６４を長手方向及び短手方向から支持し、吊ボルト４００と電線５００との干渉を確実に防ぐことができる。
【００５６】
＜＜＜第１電線保持部材１６０の溝部１６８の構成及び作用効果の説明＞＞＞
第１電線保持部材１６０は、台座部１６１において取付部１１０の装置取付面部１１１ｂと接する面である接面部１６１ａに設けられた溝部１６８を備える。
溝部１６８は、取付部１１０に第１電線保持部材１６０を装着する過程で係止突起１１１ｅ（突起部）と対向する位置に設けられている。第１電線保持部材１６０が取付部１１０に取り付けられた状態では、溝部１６８は係止突起１１１ｅ（突起部）を含む方向にそって接面部１６１ａに形成されており、係止突起１１１ｅ（突起部）は溝部１６８の延長線上に配置される。
係止突起１１１ｅは、図８に示すように、取付部１１０の装置取付面部１１１ｂに突き出た突起である。係止突起１１１ｅは、例えば、金型などを用いて三日月形に切り起こすことにより形成される。係止突起１１１ｅは、溝部１６８に対向する側が図８に示すような滑らかな曲面、あるいは緩やかな傾斜面（図示省略）となるように形成されることが好ましい。
【００５７】
溝部１６８は、台座部１６１の短手方向における一端部には開口部である基端部１６８ａ、台座部１６１の短手方向における他端部側には閉鎖した終端部１６８ｂが形成されている。基端部１６８ａと終端部１６８ｂとの間には、基端部１６８ａ側から導入部１６８ｃ、縮径部１６８ｄが連なって形成されている。
台座部１６１の長手方向における、基端部１６８ａ、終端部１６８ｂ、導入部１６８ｃ及び縮径部１６８ｄの断面形状は、いずれも略半円形である。
導入部１６８ｃの半径寸法（深さ寸法）Ｈ１は、基端部１６８ａの半径寸法（開口部の深さ寸法）と略等しい。導入部１６８ｃの半径寸法（深さ寸法）Ｈ１は、係止突起１１１ｅの高さ寸法Ｈ３よりも大きい。また、縮径部１６８ｄの半径寸法（深さ寸法）は、導入部１６８ｃから終端部１６８ｂにかけて徐々に小さくなっている。すなわち、終端部１６８ｂの深さ寸法Ｈ２は、導入部１６８ｃの半径寸法（深さ寸法）Ｈ１よりも小さく、かつ、係止突起１１１ｅの高さ寸法Ｈ３よりも小さい。
【００５８】
溝部１６８は、一方の端部の深さ寸法Ｈ１より他方の端部の深さ寸法Ｈ２が小さくなっている。また、一方の端部に接面部１６１ａの縁部に形成された開口部であって係止突起１１１ｅを内部に挿入する開口部が形成されている。開口部の幅寸法及び深さ寸法Ｈ１は、係止突起の幅寸法及び高さ寸法Ｈ３より大きい。他方の端部における深さ寸法Ｈ２は、係止突起の高さ寸法Ｈ３より小さい。また、溝部１６８は、開口部から開口部と同一形状で挿入方向に向かって設けられた導入部１６８ｃと、導入部１６８ｃから挿入方向に向かって徐々に深さ寸法が小さくなっている縮径部１６８ｄとを有する。溝部１６８は、長尺状であり、溝部１６８の長手方向を切った断面形状が半円形状である。
【００５９】
図８（ａ）に示すように、溝部１６８は、第１電線保持部材１６０を矢印Ｄの向きにスライドさせながら取付部１１０に装着する際に、係止突起１１１ｅが通過する経路に形成されており、係止突起１１１ｅを導くガイドとして機能する。
図８（ｂ）に示すように、係止突起１１１ｅが縮径部１６８ｄと当接しながらスライドすると、第１電線保持部材１６０の溝部１６８の近傍が係止突起１１１ｅにより弾性変形しながら徐々に持ち上げられる。
図８（ｃ）及び図９（ｂ）に示すように、第１電線保持部材１６０は、係止突起１１１ｅを乗り越える。
そして、図８（ｃ）及び図７（ｃ）に示すように、台座部１６１の長辺が係止突起１１１ｅにより係止される。
【００６０】
係止突起１１１ｅが縮径部１６８ｄと当接しながらスライドすると、第１電線保持部材１６０は溝部１６８の近傍が係止突起１１１ｅにより弾性変形しながら徐々に持ち上げられるので、係止突起１１１ｅが終端部１６８ｂから接面部１６１ａを乗り越えやすくなる。
また、溝部１６８は、接面部１６１ａと係止突起１１１ｅとの干渉応力を緩和するので、第１電線保持部材１６０は取付部１１０に装着しやすくなる。
そして、溝部１６８は、接面部１６１ａより後退した位置で係止突起１１１ｅと当接するので、第１電線保持部材１６０が変形し難く、第１電線保持部材１６０をスライドさせながら取付部１１０に装着する際に外れることがない。
このように、本実施の形態に係る照明装置１０によれば、第１電線保持部材１６０の取付性が向上する。
【００６１】
＜＜＜本実施の形態に係る効果の説明＞＞＞
本実施の形態に係る照明装置によれば、長方形の平板である台座部の長辺方向が装置取付面部の短手方向に沿って設置され、台座部の長辺方向の端部に電線を保持する電線保持部を有する第１電線保持部材を備えるので、電線を装置取付面部の短手方向の中央部近傍から離すことができる。
【００６２】
本実施の形態に係る照明装置によれば、第１電線保持部は装置取付面部の短手方向の中央部と装置取付面部の短手方向の端部との中心部より、装置取付面部の短手方向の端部の側に配置されるので、電線をより確実に装置取付面部の短手方向の中央部近傍から離すことができ、電線が吊ボルトと干渉することを防ぐことができる。
【００６３】
本実施の形態に係る照明装置によれば、第１電線保持部材は、支持部の先端部に形成され、吊ボルトの先端部を止める張出部を備えるので、電線が吊ボルトと干渉することをより確実に防ぐことができる。
【００６４】
本実施の形態に係る照明装置によれば、第１電線保持部材が張出部の下面部と台座部との間に内側電線保持部を備えるので、電線が吊ボルトと干渉することを確実に防ぎつつ、短手方向中央部においても電線を保持することができる。
【００６５】
本実施の形態に係る照明装置によれば、台座部において取付部の装置取付面部と接する面である接面部に設けられた溝部を備えるので、第１電線保持部材は、係止突起（突起部）を備えた取付部に対して装着しやすくなる。
【００６６】
＜＜＜第２電線保持部材１７０の詳細構成と作用効果の説明＞＞＞
第２電線保持部材１７０は、上面が略長方形状の平たい直方体形状である。対向する一対の長辺面のうちの一方の下面に取付部１１０に取り付ける取付片部を備えていてもよい。取付片部が取付部１１０の長手方向の端部に差し込まれることにより、第２電線保持部材１７０が装置取付面部に固定されてもよい。
第２電線保持部材１７０には、給電線１４２を挿入するスリット状の電線保持部１７２が形成される。第２電線保持部材１７０は、給電線１４２を電線保持部１７２のスリットに沿って挿入させ、電線保持部１７２の両側の弾性体の弾性力により給電線１４２を保持する。第２電線保持部材１７０は、装置取付面部１１１ｂの長手方向の端部に配置される。第２電線保持部材１７０は、装置取付面部１１１ｂにおいて短手方向の端部に沿って配設される給電線１４２を、装置取付面部１１１ｂの長手方向の端部において短手方向中央部に誘導する。
【００６７】
第２電線保持部材１７０について、さらに詳しく説明する。図１１は、本実施の形態に係る第２電線保持部材１７０を示す図であり、図１１（ａ）は上面部１７３の側から見た斜視図、図１１（ｂ）は下面部１７４の側から見た斜視図、図１１（ｃ）は側面部１７７ｂの側から見た側面図、図１１（ｄ）は上面図、図１１（ｅ）は側面部１７７ａの側から見た側面図、図１１（ｆ）は下面図である。
【００６８】
第２電線保持部材１７０は、弾性変形する弾性体により形成され、上面部１７３と、上面部１７３の反対側の下面部１７４とを有する。
上面部１７３には、電線を内部に保持する配線溝１７２ａが形成される。上面部１７３は、配線溝１７２ａの両側の開口縁部１７２１を有する。開口縁部１７２１は開口端とも称される。
下面部１７４は、装置取付面部１１１ｂに当接するとともに、装置取付面部１１１ｂに固定される。
第２電線保持部材１７０は、両側の開口縁部１７２１の少なくとも一部が塞がる方向に変形する。
【００６９】
下面部１７４は、第１下面部１７４１と、第１下面部１７４１と境界線である境界部１７５により分けられた第２下面部１７４２とを有する。第１下面部１７４１と第２下面部１７４２とは、９０度より大きく１８０度より小さい角度θを成す。
第２電線保持部材１７０は、この角度θが１８０度となるように下面部１７４が広げられて装置取付面部１１１ｂに固定されることにより、両側の開口縁部１７２１の少なくとも一部が塞がる方向に変形する。
【００７０】
次に、第２電線保持部材１７０の構成について詳しく説明する。
第２電線保持部材１７０は、上面部１７３、上面部１７３の反対側の下面部１７４、上面部１７３と下面部１７４との間の側面部１７７ａ，１７７ｂ，１７７ｃ，１７７ｄを備える。
上面部１７３には、実施の形態２で説明した電線保持部１７２に相当する配線溝１７２ａが２本形成されている。配線溝１７２ａは、上面部１７３に形成された溝であり、溝の壁面を用いて給電線１４２などの電線を挟持する。なお、上面部１７３は、電線を保持する電線保持面とも称される。
側面部１７７ａには、給電線１４２の配線溝１７２ａへの挿入をガイドする保持ガイド部１７２２が形成される。図１１の（ｂ）に示すように、配線溝１７２ａの保持ガイド部１７２２の部分は上面部１７３から下面部１７４まで貫通している。図１１の（ｃ）に示すように、配線溝１７２ａの保持ガイド部１７２２以外の部分は、上面部１７３に形成された底部をする溝である。
第２電線保持部材１７０は、給電線１４２を配線溝１７２ａに保持する機能を有するとともに、給電線１４２を配線溝１７２ａに挿入し易いように形成されている。
【００７１】
第２電線保持部材１７０は、取付部１１０に貼り合わされる下面部１７４が２つの面から構成されている。なお、下面部１７４は、取付部１１０に貼り合わされる貼合面とも称される。
下面部１７４は、第１下面部１７４１と、第２下面部１７４２と、第１下面部１７４１と第２下面部１７４２との境界線である境界部１７５とを有する。
境界部１７５は、配線溝１７２ａに沿う方向に形成される。また、境界部１７５は、配線溝１７２ａに対応する下面部１７４の部分と直交しないように形成される。
【００７２】
図１１の（ｃ）に示すように、第１下面部１７４１と第２下面部１７４２とは、境界部１７５を挟んで角度θをなして向かい合う。角度θは、９０°より大きく１８０°より小さい角度である。角度θは、配線溝１７２ａの形状や大きさ、配線溝１７２ａと境界部１７５との距離、相対角度などを考慮して決定される。
【００７３】
第２電線保持部材１７０は、可撓性、すなわち弾性変形の性質を有する弾性体で形成される。第２電線保持部材１７０は、例えば、シリコーンゴムなどの樹脂材料が第２電線保持部材１７０を形成する材料として選択可能である。シリコーンゴムなどの樹脂材料の硬度は概ね２０度から５０度程度のものが好ましい。
【００７４】
図１１の（ｆ）に示すように、下面部１７４には、第２電線保持部材１７０を取付部１１０に接着するための接着部１７４３が配置される。接着部１７４３は、例えば、硬化性の接着剤、粘着テープなどである。第２電線保持部材１７０を取付部１１０に接着することができれば、接着部１７４３は接着剤、粘着テープ以外の構成でも構わない。なお、本実施の形態では、接着部１７４３は粘着テープであるものとする。
接着部１７４３は、配線溝１７２ａの保持ガイド部１７２２部分を除いた下面部１７４に敷設される。接着部１７４３は、第１下面部１７４１と第２下面部１７４２とのいずれかに敷設されていればよい。接着部１７４３が粘着シートの場合、粘着テープ表面の剥離シート（図示省略）をはがして粘着テープが取付部１１０に接着されると第２電線保持部材１７０が取付部１１０に固定される。
【００７５】
本実施の形態に係る照明装置によれば、基板取付面部に取り付けられた基板に接続される給電線１４２を装置取付面部１１１ｂの長手方向の端部で保持する第２電線保持部材１７０を備えるので、装置取付面部１１１ｂにおいて短手方向の端部に沿って配設される給電線１４２を、装置取付面部１１１ｂの長手方向の端部において短手方向中央部に誘導することができる。よって、給電線１４２を傷めずに、装置取付面部１１１ｂから基板取付面部１１１ａに引き回すことができる。また、電線の余長を調整し遊びを少なくすることができるので、光源ユニットを照明器具に取り付ける際に余長部分を光源ユニットと照明器具との間に挟みこんでしまうおそれがなくなり施工性を向上させる。さらに、粘着テープなどの保持構成と比較して、組立性、対環境性能及び長期信頼性に優れた構成である。
【００７６】
図１１の（ａ）に示す第２電線保持部材１７０によれば、給電線１４２が変形により縮められた配線溝１７２ａの開口縁部１７２１から外れることがない。また、給電線１４２は変形した配線溝１７２ａの両側壁に押圧されて安定的に固定される。よって、図１１の（ａ）に示す第２電線保持部材によれば、給電線１４２が配線溝１７２ａに安定して保持される。
【００７７】
なお、図示はしないが、第２電線保持部材１７０は、第１電線保持部材１６０と同じ材料で形成され、スライドさせながら取付部１１０に装着されてもよい。また、第２電線保持部材１７０が安定して装着されるために、取付部１１０には（図示しない）係止突起が設けられてもよい。そして、第２電線保持部材１７０の装着性を向上させるために、取付部１１０に対向し、（図示しない）係止突起に対応した部分に溝部が設けられてもよい。この溝部の構成は、第１電線保持部材１６０に設けられた溝部１６８の構成と同様であってもよい。
【００７８】
＜＜＜第３電線保持部材１８０の作用効果の説明＞＞＞
上述したように、図１０の第３電線保持部材１８０は、吊ボルト４００と干渉しない位置であって装置取付面部１１１ｂの短手方向の端部の位置に配置され、電源装置１４０に接続された電源線１４１をクランプする。
【００７９】
本実施の形態に係る照明装置によれば、吊ボルト４００と干渉しない位置に配設された電源線１４１を装置取付面部１１１ｂの短手方向の端部で保持する第３電線保持部材１８０を備えるので、第１電線保持部材１６０が設置されていない部分の電線を保持し、電線の余長を調整し遊びを少なくすることができる。このため、照明具１００を照明器具２００に取り付ける際に余長部分を照明具１００と照明器具２００との間に挟みこんでしまうおそれがなくなり施工性を向上させる。また、電源線１４１は電源装置１４０と干渉するおそれもなくなる。さらに、粘着テープなどの保持構成と比較して、組立性、対環境性能及び長期信頼性に優れた構成である。
【００８０】
なお、図示はしないが、第３電線保持部材１８０は、第１電線保持部材１６０と同じ材料で形成され、スライドさせながら取付部１１０に装着されてもよい。また、第３電線保持部材１８０が安定して装着されるために、取付部１１０には（図示しない）係止突起が設けられてもよい。そして、第３電線保持部材１８０の装着性を向上させるために、取付部１１０に対向し、（図示しない）係止突起に対応した部分に溝部が設けられてもよい。この場合、第３電線保持部材１８０は、上面部に対向する下面部を有し、下面部に溝部を設けてもよい。この溝部の構成は、第１電線保持部材１６０に設けられた溝部１６８の構成と同様であってもよい。
【００８１】
以上のように、本実施の形態に係る照明装置１０によれば、第１電線保持部材１６０、第２電線保持部材１７０、第３電線保持部材１８０を備えているので、電線が吊ボルトと干渉することを防止しつつ、電線を適切な位置に配設することができる。また、電線の遊びを少なくし、電線が照明器具と照明具との間に挟まったりすることを防ぎ、電線の配線の引き回しをすっきりと整理することができる。
【００８２】
＜＜＜照明器具２００に照明具１００を取り付ける工程＞＞＞
次に、照明器具２００に照明具１００を取り付ける取り付け工程について説明する。照明器具２００の天井などの取付面部への取り付けは、天井からつり下げられている施工用の吊ボルト４００に固定する方法、ネジなどの固定具により、直接、取付面部に固定する方法などがある。
【００８３】
照明器具２００を取付面部に取り付ける際、取付面部である天井から引き出される電源電線、すなわちＦケーブルを、電源線挿入孔を介して照明器具２００の収容部２０５内に引き込み、端子台２０６に接続する。
次に、取付ばね２０４を照明具１００のばね取付具１５０と係合させ、照明具１００と照明器具２００との間に作業空間が存在する状態で、端子台２０６のハーネス２０７（電源線）のコネクタ２０８と、電源装置１４０の電源線１４１のコネクタ１４１ａとを接続するなどの作業が行われる。その後、照明具１００を照明器具２００に向かって押し上げ、照明具１００が照明器具２００に取り付けられる。
【００８４】
実施の形態２．
本実施の形態では、主に、実施の形態１と異なる点について説明する。
本実施の形態は、実施の形態１で説明した第１電線保持部材１６０の変形例である第１電線保持部材１６０Ａについて説明する。
本実施の形態において、実施の形態１と同様の構成部については同一の符号を付し、その説明を省略する。
【００８５】
＜＜＜第１電線保持部材１６０Ａの構成の説明＞＞＞
図１２は、本実施の形態に係る第１電線保持部材１６０Ａを示す図であり、図１２（ａ）は台座部１６１の側から見た斜視図、図１２（ｂ）は張出部１６４の側から見た斜視図、図１２（ｃ）は溝部１６８Ａの台座部１６１の短手方向における断面図である。
本実施の形態おける第１電線保持部材１６０Ａは、溝部１６８Ａが導入部を備えない。溝部１６８Ａは、開口部から他方の端部まで徐々に深さ寸法が小さくなっている縮径部１６８Ａｄを有する。溝部１６８Ａは、台座部１６１の短手方向における一端部に、開口部である基端部１６８Ａａ、台座部１６１の短手方向における他端部側に閉鎖した終端部１６８Ａｂが形成されている。
基端部１６８Ａａと終端部１６８Ａｂの間には、基端部１６８Ａａ側から徐々に縮径した縮径部１６８Ａｄが連なって形成されている。
台座部１６１の長手方向における、基端部１６８Ａａ、終端部１６８Ａｂ、及び縮径部１６８Ａｄの断面形状は、いずれも略半円形である。
溝部１６８Ａは、縮径部１６８Ａｄの傾斜角度が、実施の形態１の溝部１６８の縮径部１６８ｄの傾斜角度より小さくなっている。
【００８６】
＜＜＜本実施の形態に係る効果の説明＞＞＞
本実施の形態に係る第１電線保持部材１６０Ａによれば、溝部１６８Ａは、緩やかな傾斜となった縮径部１６８Ａｄを備えており、接面部１６１ａと係止突起１１１ｅとの干渉応力をさらに緩和するので、第１電線保持部材１６０Ａは取付部１１０に装着しやすくなる。このように、第１電線保持部材１６０Ａの取付性が向上する。
【００８７】
実施の形態３．
本実施の形態では、主に、実施の形態２と異なる点について説明する。
本実施の形態は、実施の形態２で説明した第１電線保持部材１６０Ａの変形例である第１電線保持部材１６０Ｂについて説明する。
本実施の形態において、実施の形態１，２と同様の構成部については同一の符号を付し、その説明を省略する。
【００８８】
＜＜＜第１電線保持部材１６０Ｂの構成の説明＞＞＞
図１３は、本実施の形態に係る第１電線保持部材１６０Ｂを示す図であり、図１３（ａ）は台座部１６１の側から見た斜視図、図１３（ｂ）は張出部１６４の側から見た斜視図、図１３（ｃ）は溝部１６８Ｂの台座部１６１の短手方向における断面図である。
本実施の形態おける第１電線保持部材１６０Ｂは、溝部１６８Ｂが導入部を備えない。
本実施の形態おける第１電線保持部材１６０Ｂは、溝部１６８Ｂの終端部１６８Ｂｂが開口している。すなわち、溝部１６８Ｂは、他方の端部に、開口部である基端部１６８Ｂａが形成された接面部１６１ａの縁部に対向する縁部に形成された対向開口部である終端部１６８Ｂｅを備える。終端部１６８Ｂｅである対向開口部は、基端部１６８Ｂａである開口部の深さ寸法より小さい深さ寸法である。
溝部１６８Ｂは、台座部１６１の短手方向における一端部に、開口した基端部１６８Ｂａ、台座部１６１の短手方向における他端部側に開口した終端部１６８Ｂｂが形成されている。
基端部１６８Ｂａと終端部１６８Ｂｂの間には、基端部１６８Ｂａ側から徐々に縮径した縮径部１６８Ｂｄが連なって形成されている。
溝部１６８Ｂでは、縮径部１６８Ｂｄの傾斜角度が実施の形態２の傾斜角度よりも、さらに小さくなっている。
【００８９】
＜＜＜本実施の形態に係る効果の説明＞＞＞
本実施の形態に係る第１電線保持部材１６０Ｂによれば、溝部１６８Ｂは、さらに緩やかな傾斜となった縮径部１６８Ｂｄを備えており、接面部１６１ａと係止突起１１１ｅとの干渉応力をさらに緩和するので、第１電線保持部材１６０Ｂは取付部１１０に装着しやすくなる。
係止突起１１１ｅは終端部１６８Ｂｂが開口しているので接面部１６１ａをさらに乗り越えやすくなる。
このように、第１電線保持部材１６０Ｂの取付性が向上する。
【００９０】
実施の形態４．
本実施の形態では、主に、実施の形態１と異なる点について説明する。
本実施の形態は、実施の形態１で説明した第１電線保持部材１６０の変形例である第１電線保持部材１６０Ｃについて説明する。本実施の形態に係る第１電線保持部材１６０Ｃでは、長尺状の溝部１６８Ｃの長手方向を切った断面形状が矩形形状である。
本実施の形態において、実施の形態１と同様の構成部については同一の符号を付し、その説明を省略する。
【００９１】
＜＜＜第１電線保持部材１６０Ｃの構成の説明＞＞＞
図１４は、本実施の形態に係る第１電線保持部材１６０Ｃを示す図であり、図１４（ａ）は台座部１６１の側から見た斜視図、図１４（ｂ）は正面図、図１４（ｃ）は係止突起１１１ｅが導入部１６８Ｃｃに配置された状態を示した図、図１４（ｄ）は係止突起１１１ｅが終端部１６８Ｃｂを乗り越える状態を示した図である。
溝部１６８Ｃは、台座部１６１の長手方向における断面形状が異なる。
溝部１６８Ｃは、台座部１６１の長手方向における、基端部１６８Ｃａ、終端部１６８Ｃｂ、導入部１６８Ｃｃ及び縮径部１６８Ｃｄの断面形状は、いずれもコノ字形である。
導入部１６８Ｃｃの幅寸法及び深さ寸法は、基端部１６８Ｃａの幅寸法及び深さ寸法と略等しい。縮径部１６８Ｃｄの幅寸法及び深さ寸法は、導入部１６８Ｃｃから終端部１６８Ｃｂにかけて徐々に小さくなっている。
【００９２】
＜＜＜本実施の形態に係る効果の説明＞＞＞
本実施の形態に係る第１電線保持部材１６０Ｃによれば、係止突起１１１ｅが導入部１６８Ｃｃに配置された状態で、係止突起１１１ｅと溝部１６８Ｃとの接触面積が小さくなる（線接触または点接触）。このため、接面部１６１ａと係止突起１１１ｅとの干渉応力をさらに緩和するので、第１電線保持部材１６０Ｃは取付部１１０に装着しやすくなる。
このように、第１電線保持部材１６０Ｃの取付性が向上する。
【００９３】
実施の形態５．
本実施の形態では、主に、実施の形態１と異なる点について説明する。
本実施の形態は、実施の形態１で説明した第１電線保持部材１６０の変形例である第１電線保持部材１６０Ｄについて説明する。本実施の形態に係る第１電線保持部材１６０Ｄでは、溝部１６８Ｄの長手方向を切った断面形状が三角形状である。
本実施の形態において、実施の形態１と同様の構成部については同一の符号を付し、その説明を省略する。
【００９４】
＜＜＜第１電線保持部材１６０Ｄの構成の説明＞＞＞
図１５は、本実施の形態に係る第１電線保持部材１６０Ｄを示す図であり、図１５（ａ）は台座部１６１の側から見た斜視図、図１５（ｂ）は正面図、図１５（ｃ）は係止突起１１１ｅが導入部１６８Ｄｃに配置された状態を示した図、図１５（ｄ）は係止突起１１１ｅが終端部１６８Ｄｂを乗り越える状態を示した図である。
溝部１６８Ｄは、台座部１６１の長手方向における断面形状が異なる。
溝部１６８Ｄは、台座部１６１の長手方向における、基端部１６８Ｄａ、終端部１６８Ｄｂ、導入部１６８Ｄｃ及び縮径部１６８Ｄｄの断面形状は、いずれもＶ字形である。
導入部１６８Ｄｃの幅寸法及び深さ寸法は、基端部１６８Ｄａの幅寸法及び深さ寸法と略等しい。縮径部１６８Ｄｄの幅寸法及び深さ寸法は、導入部１６８Ｄｃから終端部１６８Ｄｂにかけて徐々に小さくなっている。
【００９５】
＜＜＜本実施の形態に係る効果の説明＞＞＞
本実施の形態に係る第１電線保持部材１６０Ｄによれば、係止突起１１１ｅが導入部１６８Ｄｃに配置された状態で、係止突起１１１ｅと溝部１６８Ｄとの接触面積が小さくなる（線接触または点接触）。このため、接面部１６１ａと係止突起１１１ｅとの干渉応力をさらに緩和するので、第１電線保持部材１６０Ｄは取付部１１０に装着しやすくなる。
また、台座部１６１の接面部１６１ａの反対側には、溝部１６８Ｄの溝方向に沿って稜部が形成されており、第１電線保持部材１６０Ｄを装着する位置、スライドの向きを分かり易くする効果もある。
このように、第１電線保持部材１６０Ｄの取付性が向上する。
【００９６】
実施の形態６．
本実施の形態では、主に、実施の形態１と異なる点について説明する。
本実施の形態は、実施の形態１で説明した第１電線保持部材１６０の変形例である第１電線保持部材１６０Ｅについて説明する。
本実施の形態において、実施の形態１と同様の構成部については同一の符号を付し、その説明を省略する。
【００９７】
＜＜＜第１電線保持部材１６０Ｅの構成の説明＞＞＞
図１６は、本実施の形態に係る第１電線保持部材１６０Ｅを示す斜視図である。
第１電線保持部材１６０Ｅは、第１電線保持部１６２Ｅとして下電線保持部１６２Ｅａを形成する台座部１６１に溝部１６８Ｅが形成されている。
第１電線保持部材１６０Ｅは、外壁立設部１６６Ｅａと、外壁屈曲部１６６Ｅｂとを備える。両側の外壁屈曲部１６６Ｅｂの間にスリット１６６Ｅｃが形成される。また、取付片１６３Ｅは、接続部１６３Ｅａと、係止片部１６３Ｅｂとを備える。外壁部１６６Ｅと、台座部１６１により囲まれた空間は、下電線保持部１６２Ｅａである。
すなわち、台座部１６１は、電源装置１４０に接続された電線５００を保持する下電線保持部１６２Ｅａを備え、溝部１６８Ｅは、下電線保持部１６２Ｅａに対応する位置に形成されている。
【００９８】
＜＜＜本実施の形態に係る効果の説明＞＞＞
本実施の形態に係る第１電線保持部材１６０Ｅによれば、第１電線保持部１６２Ｅである下電線保持部１６２Ｅａに溝部１６８Ｅが形成さているので、第１電線保持部材１６０Ｅを小型化することができる。
また、張出部１６４、支持部１６５を備えない場合であっても、装着しやすい第１電線保持部材１６０Ｅを形成することができる。
【００９９】
以上、本発明の実施の形態１から６について説明したが、これらの実施の形態のうち、いくつかを組み合わせて実施しても構わない。あるいは、これらの実施の形態のうち、いずれか１つまたはいくつかを部分的に実施しても構わない。具体的には、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【０１００】
第１電線保持部、第２電線保持部、支持部、張出部、取付片の形は、上記の実施の形態の説明に限定されない。例えば、取付片は断面形状がＬ字形である例を説明したが、Ｕ字形、Ｚ字形、Ｔ字形などの形であってもよいし、取付片が取付部の他の場所、あるいは基板などに装着されてもよい。
【０１０１】
また、上記の実施の形態において、発光素子は、パッケージ化された面実装型（ＳＭＤ型）のＬＥＤ素子について説明したが、これに限定されない。発光素子は、複数のＬＥＤチップが基板上に直接実装され、複数のＬＥＤチップを蛍光体含有樹脂によって一括して封止した構成であるＣＯＢ（Ｃｈｉｐ  Ｏｎ  Ｂｏａｒｄ）型の光源であってもよい。
【０１０２】
そして、上記の実施の形態において、発光素子は、青色ＬＥＤチップと黄色蛍光体とによって白色光を放出するように構成したが、これに限定されない。例えば、赤色蛍光体及び緑色蛍光体を含有する蛍光体含有樹脂を用いて、これと青色ＬＥＤチップと組み合わせることによりに白色光を放出するように構成してもよい。また、青色以外の色を発光するＬＥＤチップを用いてもよく、例えば、青色ＬＥＤチップが放出する青色光よりも短波長である紫外光を放出する紫外ＬＥＤチップを用いて、主に紫外光により励起されて青色光、赤色光及び緑色光を放出する青色蛍光体粒子、緑色蛍光体粒子及び赤色蛍光体粒子によって白色光を放出するように構成してもよい。
【０１０３】
さらに、上記の実施の形態において、発光素子としてＬＥＤを例示して説明したが、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（ＥｌｅｃｔｒｏＬｕｍｉｎｅｓｃｅｎｃｅ）、無機ＥＬまたは蛍光灯などの発光素子を用いてもよい。
【０１０４】
なお、本発明は、例示した長尺状（長方形）の照明装置以外に、正方形、菱形、円形、楕円形などの形状の照明装置にも適用できる。さらには、直管形や電球形のランプ、これらを用いた照明装置にも適用できる。
【符号の説明】
【０１０５】
１０  照明装置、１００  照明具、１１０  取付部、１１１  主板部、１１１ａ  基板取付面部、１１１ｂ  装置取付面部、１１１ｃ  部材取付孔、１１１ｃ１  幅広部、１１１ｃ２  幅狭部、１１１ｅ  係止突起、１１２  側板部、１２０  発光ユニット、１２１  ＬＥＤ、１２２  基板、１３１  カバー、１３２  カバー側部、１３２ａ  カバー主部、１３２ｂ  カバー側面部、１３２ｃ  カバー接続部、１３３  係合部、１３３ａ  カバー支持部、１３３ｂ  立板部、１３３ｃ  カバー係合部、１３６  端部カバー、１４０  電源装置、１４１  電源線、１４１ａ  コネクタ、１４２  給電線、１５０  取付具、１６０，１６０Ａ，１６０Ｂ，１６０Ｃ，１６０Ｄ，１６０Ｅ  第１電線保持部材、１６１  台座部、１１６１  台座中央部、１６１ａ  接面部、１６２，１６２Ｅ  第１電線保持部、１６２ａ  下電線保持部、１６２ｂ  上電線保持部、１６２Ｅａ  下電線保持部、１６９  第２電線保持部、１６３，１６３Ｅ  取付片、１６３ａ，１６３Ｅａ  接続部、１６３ｂ，１６３Ｅｂ  係止片部、１６４  張出部、１６５  支持部、１６５ａ  第１支持部、１６５ｂ  第２支持部、１６６，１６６Ｅ  外壁部、１６６ａ，１６６Ｅａ  外壁立設部、１６６ｂ，１６６Ｅｂ  外壁屈曲部、１６６Ｅｃ  スリット、１６６１  台座中央部、１６６ｃ  第１スリット部、１６６ｄ  第２スリット部、１６７  内壁部、１６７ａ  内壁立設部、１６７ｂ  内壁屈曲部、１６７ｃ  内壁先端部、１６８，１６８Ａ，１６８Ｂ，１６８Ｃ，１６８Ｄ，１６８Ｅ  溝部、１６８ａ，１６８Ａａ〜１６８Ｄａ  基端部、１６８ｂ，１６８Ａｂ，１６８Ｃｂ，１６８Ｄｂ  終端部、１６８ｃ，１６８Ｃｃ，１６８Ｄｃ  導入部、１６８ｄ，１６８Ａｄ〜１６８Ｄｄ  縮径部、１６８Ｂｅ  終端部、１６９  第２電線保持部、１７０  第２電線保持部材、１７１  取付片部、１７２  電線保持部、１７２ａ  配線溝、１７２１  開口縁部、１７２１ｂ  保持爪、１７２２  保持ガイド部、１７３  上面部、１７４  下面部、１７４１  第１下面部、１７４２  第２下面部、１７４３  接着部、１７４６  曲面形状部、１７４７  凹み部、１７４７１  凹み底面部、１７６１  貫通孔、１７６２  突起部、１７５  境界部、１７７，１７７ａ，１７７ｂ，１７７ｃ，１７７ｄ  側面部、１８０  第３電線保持部材、１８１  取付片部、１８２  電線保持部、１８３  起立壁、２００  照明器具、２０１  器具本体、２０２  器具端部、２０３  器具蓋部、２０４  取付ばね、２０５  収容部、２０６  端子台、２０７  ハーネス、２０８  コネクタ、４００  吊ボルト、４０１  先端部、５００  電線。
【図１】
2017228352.tif 000003
【図２】
2017228352.tif 000004
【図３】
2017228352.tif 000005
【図４】
2017228352.tif 000006
【図５】
2017228352.tif 000007
【図６】
2017228352.tif 000008
【図７】
2017228352.tif 000009
【図８】
2017228352.tif 000010
【図９】
2017228352.tif 000011
【図１０】
2017228352.tif 000012
【図１１】
2017228352.tif 000013
【図１２】
2017228352.tif 000014
【図１３】
2017228352.tif 000015
【図１４】
2017228352.tif 000016
【図１５】
2017228352.tif 000017
【図１６】
2017228352.tif 000018